(57)【要約】  本発明は、閉鎖ステップにおいて、使用者が効果的かつ快適に使用できる化粧品容器を提供するものである。本発明の化粧品容器１は、容器本体１０と蓋６０が係合してスティック状化粧品を格納する化粧品容器であって、容器本体の上部には、スティック状化粧品が貫通可能な孔を有する上方に向かって凸状の肩部４０が配置されており、肩部の外周面には、蓋の内周面に形成された複数の凹部と脱着可能に係合する複数の凸部が形成されており、蓋の外周壁は、上下方向における下方の所定範囲であって、下端部を含む部分が、その他の部分の厚さよりも薄い肉薄部として構成されており、薄肉部の内周面に凹部が形成されており、薄肉部の下端部の外側部及び内側部は曲面として構成されている。
2021048931.tif 000002
【特許請求の範囲】
【請求項１】
容器本体と蓋が係合してスティック状化粧品を格納する化粧品容器であって、
容器本体の上部には、前記スティック状化粧品が貫通可能な孔を有する上方に向かって凸状の肩部が配置されており、
前記肩部の外周面には、前記蓋の内周面に形成された複数の凹部と脱着可能に係合する複数の凸部が形成されており、
前記蓋の周壁は、下端部を含む所定部分が、前記所定部分と上方に連続する部分の厚さよりも薄い肉薄部として構成されており、
前記薄肉部の内周面に前記凹部が形成されており、
前記薄肉部の下端部の外側部及び内側部は外側に凸の曲面として構成されている、
化粧品容器。
【請求項２】
前記肩部の上面と前記外周面の間の面は外側に凸の曲面として構成されている、
請求項１に記載の化粧品容器。
【請求項３】
前記薄肉部は複数の壁部で構成されており、前記壁部の厚さは、前記容器本体の軸方向と垂直な方向において、前記壁部の中央部に向かうほど薄く構成されており、
前記凹部は、前記中央部を含む領域に形成されている、
請求項２に記載の化粧品容器。
【請求項４】
前記蓋は透明の材料で形成されており、
前記蓋の内周面は天井面と一体に形成されて下方に開口した空間の境界を画しており、
前記天井面は、前記軸方向と垂直な方向に対して所定の傾斜を有する傾斜面として構成されており、
前記蓋の上面は、下方に凸の凹面として構成されている、
請求項３に記載の化粧品容器。
【請求項５】
前記容器本体の上端部は、前記容器本体の外周に沿って突起した突起周端部として構成されており、前記突起周端部の上端部の外側は外側に凸の曲面として構成されている、請求項４に記載の化粧品容器。  
【発明の詳細な説明】
【技術分野】
【０００１】
本発明は化粧品容器に関する。
【背景技術】
【０００２】
使用者が効果的かつ快適に、容器を操作することができることが、化粧品容器にとって重要である。【０００３】
棒状の口紅の出し入れに関する技術は多数提案されており、例えば、特許文献１において、口紅が折れることを防止できる口紅容器が提案されている。
【先行技術文献】
【特許文献】
【０００４】
【特許文献１】特開２０１９−９７８１７号公報
【発明の概要】
【発明が解決しようとする課題】
【０００５】
ところで、使用者が化粧品容器を使用した後には、容器本体を容器の蓋で閉鎖するステップ（以下、「閉鎖ステップ」という。）が必要になる。ところが、従来、閉鎖ステップに着目した技術の提案は、存在しないか、不十分である。【０００６】
本発明は、上記を踏まえて、閉鎖ステップにおいて、使用者が効果的かつ快適に使用できる化粧品容器を提供するものである。
【課題を解決するための手段】
【０００７】
第一の発明は、容器本体と蓋が係合してスティック状化粧品を格納する化粧品容器であって、容器本体の上部には、前記スティック状化粧品が貫通可能な孔を有する上方に向かって凸状の肩部が配置されており、前記肩部の外周面には、前記蓋の内周面に形成された複数の凹部と脱着可能に係合する複数の凸部が形成されており、前記蓋の周壁は、下端部を含む所定部分が、前記所定部分と上方に連続する部分の厚さよりも薄い肉薄部として構成されており、前記薄肉部の内周面に前記凹部が形成されており、前記薄肉部の下端部の外側部及び内側部は外側に凸の曲面として構成されている、化粧品容器である。【０００８】
第一の発明の構成によれば、肩部に形成された凸部と蓋の内周面に形成された凹部が係合することによって、容器本体と蓋が脱着可能に係合する。このとき、凹部が形成されている蓋の周壁が外側に弾性変形し、凸部が凹部と係合すると、弾性変形が回復する。ここで、凹部は蓋の薄肉部の内周面に形成されているから、蓋の周壁の全体が一様に弾性変形するのではなく、主として薄肉部が弾性変形する。蓋全体としては相対的に周壁を有することで強度が確保され、弾性変形する部分が主として薄肉部に限定されることによって、凹部と凸部の係合が強固に確保される。さらに、薄肉部の下端部の内側部が曲面として構成されているから、肩部に接したときに、凹部と凸部の位置が一致しなくても、内側部の曲面が肩部の表面を滑ることによって位置が修正される。さらに、薄肉部の下端部の外側部及び内側部が曲面として構成されているから、下端部が容器本体の上端部と接する面積は、曲面として構成されていない場合よりも小さい。このため、下端部が上端部と接したときに発生する音波の強度は、下端部が曲面として構成されていない場合よりも小さい。また、下端部が上端部と接したときに生じる振動波は、蓋の周壁全体に直ちに直接的には伝わらず、薄肉部の下端部以外の部分に伝わり、その後、薄肉部以外の周壁に伝わり、その間に減衰する。これにより、閉鎖ステップにおいて、使用者が効果的かつ快適に化粧品容器を使用できる。【０００９】
第二の発明は、第一の発明の構成において、前記肩部の上面と前記外周面の間の面は外側に凸の曲面として構成されている、化粧品容器である。【００１０】
第二の発明の構成によれば、蓋の薄肉部の下端部が肩部と接触する場合に、蓋の内側部の曲面と肩部の曲面が接するから、凹部と凸部の位置が一致しなくても、互いに滑りやすい。これにより、位置が修正される効果が一層大きくなり、肩部は薄肉部に円滑に挿入され、凸部と凹部が係合する。【００１１】
第三の発明は、第二の発明の構成において、前記薄肉部は複数の壁部で構成されており、前記壁部の厚さは、前記容器本体の軸方向と垂直な方向において、前記壁部の中央部に向かうほど薄く構成されており、前記凹部は、前記中央部を含む領域に形成されている、化粧品容器である。【００１２】
第三の発明の構成によれば、薄肉部を構成する面は、中央部ほど薄く、弾性変形しやすい。そして、凹部は中央部を含む領域に形成されているから、肩部の凸部と効果的に係合することができる。【００１３】
第四の発明は、第三の発明の構成において、前記蓋は透明の材料で形成されており、前記蓋の内周面は天井面と一体に形成されて下方に開口した空間の境界を画しており、前記天井面は、前記軸方向と垂直な方向に対して所定の傾斜を有する傾斜面として構成されており、前記蓋の上面は、下方に凸の凹面として構成されている、化粧品容器である。【００１４】
第四の発明の構成によれば、蓋は透明の材料で形成されており、天井面は、軸方向と垂直な方向に対して所定の傾斜を有する傾斜面として構成されているから、蓋の外側を上方から見ると、天井面は透過して見える。これに対して、蓋の外側を斜め上方から見ると、天井面が鏡面として機能し、外部の像を映す。そして、蓋の上面は下方に凸の凹面として構成されているから、使用者が、鏡面として見える天井面を目印として、蓋の上面の中央近傍に指を置くと、指によって蓋を下方に押圧する力は、化粧品容器の軸方向に作用する。これにより、効果的に肩部の凸部と薄肉部の凹部が係合する。【００１５】
第五の発明は、第四の発明の構成において、前記容器本体の上端部は、前記容器本体の外周に沿って突起した突起周端部として構成されており、前記突起周端部の上端部の外側は外側に凸の曲面として構成されている、化粧品容器である。【００１６】
第五の発明の構成によれば、突起周端部の外側の曲面と、薄肉部の外側部の曲面の効果により、化粧品容器から蓋を外すときに、蓋に対して水平方向の成分を有する力を作用させたときに、曲面同士が接しつつ、蓋と容器本体が相対的に傾斜しやすいから、蓋と容器本体の係合が効果的に解除される。
【発明の効果】
【００１７】
本発明にかかる化粧品容器によれば、閉鎖ステップにおいて、使用者が効果的かつ快適に使用できる。
【図面の簡単な説明】
【００１８】
【図１】本発明の実施形態にかかる化粧品容器の概略斜視図である。
【図２】蓋を外した状態における化粧品容器の概略斜視図である。
【図３】容器本体を示す概略斜視図である。
【図４】容器本体の軸方向の概略断面図である。
【図５】容器本体の水平方向（軸方向と垂直な方向）の概略断面図である。
【図６】螺旋体の概略斜視図である。
【図７】螺旋体の軸方向の概略断面図である。
【図８】スリーブの概略斜視図である。
【図９】スリーブの軸方向の概略断面図である。
【図１０】内部容器の概略斜視図である。
【図１１】内部容器の概略正面図である。
【図１２】内部容器の概略側面図である。
【図１３】肩部の概略斜視図である。
【図１４】肩部の概略平面図である。
【図１５】肩部の軸方向の概略断面図である。
【図１６】蓋の概略斜視図である。
【図１７】蓋の下方から視た概略斜視図である。
【図１８】蓋の軸方向の概略断面図である。
【図１９】蓋の概略底面図である。
【図２０】ラバーリングの概略斜視図である。
【図２１】ラバーリングの概略平面図である。
【図２２】ラバーリングのＤＤ線概略断面図である。
【図２３】化粧品容器の組み立て工程を示す概略図である。
【図２４】化粧品容器の組み立て工程を示す概略図である。
【図２５】化粧品容器の組み立て工程を示す概略図である。
【図２６】蓋が容器本体に係合するときの状態を示す概略図である。
【図２７】蓋と容器本体が係合するときの双方の水平方向の角度を示す概念図である。
【図２８】蓋と容器本体が係合するときの双方の水平方向の角度を示す概念図である。
【図２９】蓋が容器本体から外されるときの状態を示す概略図である。
【図３０】蓋が容器本体から外されるときの状態を示す概略図である。
【図３１】蓋が容器本体から外されるときの状態を示す概略図である。
【発明を実施するための形態】
【００１９】
以下、図面に基づき本発明の好適な実施形態を説明する。
【００２０】
図１及び図２に示すように、化粧品容器１は、容器本体１０、螺旋体２０、肩部４０、スリーブ５０、及び蓋６０を有する。スリーブ５０の内側には、上下方向に移動可能な状態で配置される内部容器３０（図１０乃至図１２参照）が配置される。本明細書において、化粧品容器１の長手方向を「軸方向」、あるいは、「上下方向」と呼ぶ。長手方向と垂直な方向を「水平方向」と呼ぶ。「内側に凸」というときは凹部を意味し、「内側に凸の曲面」あるいは「内側に向かって凸の曲面」は曲面としての凹面を意味する。これに対して、「外側に凸の曲面」あるいは「外側に向かって凸の曲面」というときは曲面としての凸面を意味する。容器本体１０に固定される肩部４０と蓋６０が係合してスティック状化粧品を格納する化粧品容器１が構成される。スティック状化粧品は、例えば、口紅である。なお、スティック状化粧品の図示は省略する。
【００２１】
スリーブ５０は金属で構成される。金属は、例えば、アルミニウムである。後述のラバーリング８０（図２０参照）は、ゴムで構成される。ゴムは、例えば、天然ゴムである。化粧品容器１の他の部材は、樹脂で構成される。容器本体１０及び蓋６０は、透明材料で形成される。透明材料は、例えば、透明度の高い樹脂材料、例えば、ポリエチレンテレフタレート（ＰＥＴ）である。このため、容器本体１０及び蓋６０は、全体として透明である。
【００２２】
図３及び図４に示すように、容器本体１０は、本体部１２を有する。本体部１２は、全体として略直方体に形成され、内部には、略円柱状の空間Ｓ１が形成されている。空間Ｓ１は、上方に開口した空間である。図４に示すように、本体部１２の上端部近傍には、環状凹部１２ａが形成されている。
【００２３】
図３乃至図５に示すように、本体部１２の上端部は、本体部１２の外周に沿って突起した形状に構成され、突起周端部１４を形成している。突起周端部１４の内側は、凹部１６となっている。突起周端部１４の外側は外側に向かって凸の曲面として構成されている。すなわち、突起周端部１４は、平面１４ａと曲面１４ｂとで構成される。突起周端部１４全体の厚さｄ１に対して、曲面１４ｂが形成されていることによって、平面１４ａの部分の厚さは、厚さｄ１よりも薄い厚さｄ２となっている。
【００２４】
図６及び図７に示すように、螺旋体２０は環状の壁部２２を有し、壁部２２の外側には、外側に向かって凸状の環状突起２２ａが形成されている。環状突起２２ａは、容器本体１０の環状凹部１２ａと係合する。螺旋体２０の壁部２２の内側には螺旋状の螺子部２２ｂが形成されている。螺旋体２０の内側は貫通孔Ｓ２となっている。
【００２５】
図８及び図９に示すように、スリーブ５０は、環状の壁部５２を有する。壁部５２の外面には、外側に向かって凸状の環状突起部５２ａ、内側に向かって凸状の環状凹部５２ｂ、及び軸方向に延びる切欠部５２ｃが形成されている。壁部５２の内側は、貫通孔Ｓ３となっている。
【００２６】
図１０乃至図１２に示すように、内部容器３０は、環状の壁部３２を有し、壁部３２の外周面から外側に突出する態様において、雄螺子部３４が形成されている。壁部３２の内側は、貫通孔Ｓ４となっている。壁部３２の内周面には、環状の突起が形成されており（図示せず）、スティック状化粧品を固定することができるように構成されている。
【００２７】
図１３乃至図１５に示すように、肩部４０は、全体として、上方に向かって凸状に形成されている。肩部４０は、外周部４４を有する。外周部４４は、４つの外周面４４ａを有する。外周面４４ａの各面には、凸部４４ｂが形成されている。凸部４４ｂの角は、外側に向かって凸の曲面として形成されている。外周部４４の下部には、拡大部４２が一体として形成されている。外周部４４の内側は、貫通孔Ｓ５となっている。貫通孔Ｓ５は、スティック状化粧品が貫通可能な孔である。外周面４４ａと上面４４ｃの間の面は外側に向かって凸の曲面４４ｄとして構成されている。肩部４０は、容器本体１０の上部に配置される（図１及び図２参照）。
【００２８】
図１６に示すように、蓋６０は、本体部６２を有する。蓋６０は全体が透明の材料で形成されている。本体部６２は、本体上部６２ｂ及び周壁６２ｃから構成される。本体上部６２ｂの上面６２ａは、下に凸の凹面として構成されている。周壁６２ｃにおいて、下端部を含む所定部分は、その部分と上方に連続する部分の厚さよりも薄い薄肉部６４として構成されている。
【００２９】
蓋６０には、上方が閉じ、下方が開口した略円柱状の空間Ｓ６（図１７乃至図１９参照）が形成されている。空間Ｓ６の境界は、内面６６によって画される。内面６６は、天井面６６ａと内周面６６ｂが一体に形成されて構成される。天井面６６ａは、水平方向に対して所定の傾斜θ１（図１８参照）を有する傾斜面として構成されている。傾斜θ１は、例えば、３０度である。図１６に示すように、蓋６０を矢印Ｚ１方向（上方）から視るときには、天井面６６ａは、光を透過するから、内部が視認可能である。これに対して、天井面６６ａを斜め上方である矢印Ｚ２方向から視るときには、天井面６６ａの上記構造によって、内部が視認不可能な鏡面として機能し、外部の状態を映す。すなわち、天井面６６ａは、外側から視る方向によって、使用者の視覚に映る態様が異なる。
【００３０】
薄肉部６４の内周面に、凹部６４ａが形成されている。凹部６４ａは、上述の肩部４０の凸部４４ｂと脱着可能に係合する。凹部６４ａは、凸部４４ｂを格納することができるように、凸部４４ｂの外部形状よりも所定の程度だけ、大きな形状に構成されている。また、凹部６４ａの角は内側に向かって凸の曲面として形成されている。例えば、凸部４４ｂが、幅３ミリメートル（ｍｍ）、長さ１ミリメートルであれば、凹部６４ａは、幅５ミリメートル、長さ１．５ミリメートルである。
【００３１】
図１８に示すように、周壁６２ｃの厚さｄ３よりも、薄肉部６４の厚さｄ４は小さい。薄肉部６４は、下端部を含む所定部分である部分６２ｃａに対応する。また、薄肉部６４の下端部の外側部６２ｂａ及び内側部６２ｂｃは外側に向かって凸の曲面として形成されている。これにより、平坦部６２ｂｂの厚さｄ５は、薄肉部６４の厚さｄ４よりも薄い。このように、周壁６２ｃについて、３つの厚さｄ３、ｄ４及びｄ５が形成されている。
【００３２】
図１９に示すように、薄肉部６４は、それぞれ凹部６４ａが形成されている４つの壁部が一体となって形成されており、各壁部は、水平方向における中央部に向かうほど薄く構成されている。凹部６４ａは中央部を含む領域に形成されている。各壁部の中央部の厚さｗ２は、最も厚い部分の厚さｗ１よりも薄い。これにより、凹部６４ａが、肩部４０の凸部４４ｂと係合するときに、外側方向、すなわち、矢印Ａ１乃至Ａ４に示す方向に弾性変形し易くなっている。
【００３３】
図２０乃至図２１に示すように、ラバーリング８０は、所定の直径を有する環状の部材である。ラバーリング８０は、スリーブ５０の壁部５２に形成された環状凹部５２ｂ（図９参照）に配置され、スリーブ５０の回転に適度の抵抗となる。以下、ラバーリング８０については、図示を省略する。
【００３４】
図２３乃至図２５を参照して、化粧品容器１の組み立て工程の概要を説明する。図２３に示すように、容器本体１０の内側に螺旋体２０が固定される。内部容器３０は、上下移動可能な状態でスリーブ５０の内側に配置される。この状態において、スリーブ５０が螺旋体２０の内側に、軸方向の位置が固定された状態において回転可能な状態で固定される。ここで、内部容器３０の雄螺子部３４は、スリーブ５０の切欠部５２ｃから外部に突出しており、螺旋体２０の螺子部２２ｂと回転可能な状態で係合する。
【００３５】
図２４に示すように、容器本体１０の凹部１６（図２３参照）に肩部４０の拡大部４２が係合して固定される。スリーブ５０と容器本体１０が相対的に回転すると、スリーブ５０は軸方向の位置が固定されているが、スリーブ５０に配置された内部容器３０も回転する。内部容器３０は、スリーブ５０内において軸方向の移動が自由であり、雄螺子部３４が螺旋体２０の螺子部２２ｂと回転可能な状態で係合しているため、矢印Ｚに示すように、スリーブ５０と容器本体１０の相対的な回転の方向に応じて、上下に移動する。内部容器３０にはスティック状化粧品（図示せず）が固定されているから、これにより、スティック状化粧品を出し入れすることができる。
【００３６】
図２５に示すように、蓋６０の凹部６４ａと肩部４０の凸部４４ｂとが係合することによって、蓋６０と容器本体１０は脱着可能に固定される。
【００３７】
図２６に示すように、蓋６０を容器本体１０に嵌めるときに、例えば、使用者は手１００で化粧品容器１を把持し、矢印Ｚ２方向から蓋６０を視認する。この場合、天井部６６ａは鏡面として機能するから、使用者は、化粧品容器１の水平方向における中央部を認識することができる。そして、蓋６０の上面６２ａは下に凸の凹面として形成されているから、使用者が、化粧品容器の水平方向における中央部を認識したうえで、指を上面６２ａに当てて下方に押圧すると、力は矢印Ｚ１方向に示す軸方向に作用する。これにより、効率的に蓋６０の凹部６４ａと肩部４０の凸部４４ｂとを係合させることができる。
【００３８】
図２７及び図２８は、蓋６０の底部と肩部４０を上方から視た概念図である。肩部４０は点線で示している。肩部４０の外周部４４と、薄肉部６４の内周面は、円以外の形状であって、略相似形状に形成されている。図２７は、肩部４０の外周部４４と、薄肉部６４の内周面の略相似形状が一致する角度に配置されており、この角度において、蓋６０と肩部４０が接すると、この角度は維持され、蓋６０の凹部６４ａと肩部４０の凸部４４ｂが係合する。これに対して、図２８に示すように、肩部４０の外周部４４と、薄肉部６４の内周面の略相似形状が不一致である角度に配置された状態において、蓋６０と肩部４０が接近した場合には、肩部４０の曲面４４ｄと曲面として形成されている薄肉部６４の内側部６２ｂｃが接することによって、蓋６０と肩部４０は相対的に滑りつつ回転し、略相似形状が一致する状態に至り、やはり、蓋６０の凹部６４ａと肩部４０の凸部４４ｂが係合する。肩部４０の曲面４４ｄと薄肉部６４の内側部６２ｂｃがそれぞれ曲面として当接するので、滑りやすい。そのため、効果的に略相似形状が一致する状態に至る。
【００３９】
図２９乃至図３１は、化粧品容器１から蓋６０を外すときの状態の一例を示す。図２９に示すように、化粧品容器１から蓋６０を外すときに、例えば、矢印Ｚ３に示す方向から手１００の親指で力をかけるとすると、図３０に示すように、蓋６０は容器本体１０に対して傾斜し、図３１に示すように、蓋６０と容器本体１０の係合が解除される。矢印Ｚ３方向に示す力は、水平方向の成分を有する力の一例である。突起周端部１４の外側の曲面と、薄肉部６４の外側部の曲面の効果により、化粧品容器１から蓋６０を外すときに、蓋６０に対して水平方向の成分を有する力を作用させたときに、曲面同士が接しつつ、蓋６０と容器本体１０が相対的に傾斜し、蓋６０と容器本体１０の係合が容易に解除される。
【００４０】
なお、本発明の化粧品容器は、上記実施形態に限らず、本発明の要旨を逸脱しない範囲内において種々変更を加えることができる。
【符号の説明】
【００４１】
１    化粧品容器
１０  容器本体
２０  螺旋体
３０  内部容器
４０  肩部材
５０  スリーブ
６０  蓋
８０  ラバーリング
【図１】
2021048931.tif 000003
【図２】
2021048931.tif 000004
【図３】
2021048931.tif 000005
【図４】
2021048931.tif 000006
【図５】
2021048931.tif 000007
【図６】
2021048931.tif 000008
【図７】
2021048931.tif 000009
【図８】
2021048931.tif 000010
【図９】
2021048931.tif 000011
【図１０】
2021048931.tif 000012
【図１１】
2021048931.tif 000013
【図１２】
2021048931.tif 000014
【図１３】
2021048931.tif 000015
【図１４】
2021048931.tif 000016
【図１５】
2021048931.tif 000017
【図１６】
2021048931.tif 000018
【図１７】
2021048931.tif 000019
【図１８】
2021048931.tif 000020
【図１９】
2021048931.tif 000021
【図２０】
2021048931.tif 000022
【図２１】
2021048931.tif 000023
【図２２】
2021048931.tif 000024
【図２３】
2021048931.tif 000025
【図２４】
2021048931.tif 000026
【図２５】
2021048931.tif 000027
【図２６】
2021048931.tif 000028
【図２７】
2021048931.tif 000029
【図２８】
2021048931.tif 000030
【図２９】
2021048931.tif 000031
【図３０】
2021048931.tif 000032
【図３１】
2021048931.tif 000033
【手続補正書】
【提出日】令和3年8月16日(2021.8.16)
【手続補正１】
【補正対象書類名】特許請求の範囲
【補正対象項目名】全文
【補正方法】変更
【補正の内容】
【特許請求の範囲】
【請求項１】
容器本体と蓋が係合してスティック状化粧品を格納する化粧品容器であって、
容器本体の上部には、前記スティック状化粧品が貫通可能な孔を有する上方に向かって凸状の肩部が配置されており、
前記肩部の外周面には、前記蓋の内周面に形成された複数の凹部と脱着可能に係合する複数の凸部が形成されており、
前記蓋の周壁は、下端部を含む所定部分が、前記所定部分と上方に連続する部分の厚さよりも薄い肉薄部として構成されており、
前記薄肉部の内周面に前記凹部が形成されており、
前記薄肉部の下端部の外側部及び内側部は外側に凸の曲面として構成されており、
前記薄肉部は複数の壁部で構成されており、前記壁部の厚さは、前記容器本体の軸方向と垂直な方向において、前記壁部の中央部に向かうほど薄く構成されており、
前記凹部は、前記中央部を含む領域に形成されており、
前記蓋において、前記薄肉部の上方に連続する部分の断面の内形と、前記薄肉部の断面の内形は相似形状ではない、
化粧品容器。
【請求項２】
前記肩部の上面と前記外周面の間の面は外側に凸の曲面として構成されている、
請求項１に記載の化粧品容器。
【請求項３】
前記蓋は透明の材料で形成されており、
前記蓋の内周面は天井面と一体に形成されて下方に開口した空間の境界を画しており、
前記天井面は、前記軸方向と垂直な方向に対して所定の傾斜を有する傾斜面として構成されており、
前記蓋の上面は、下方に凸の凹面として構成されている、
請求項１に記載の化粧品容器。
【請求項４】
前記容器本体の上端部は、前記容器本体の外周に沿って突起した突起周端部として構成されており、前記突起周端部の上端部の外側は外側に凸の曲面として構成されている、請求項１に記載の化粧品容器。  
【国際調査報告】
2021048931.tif 000034
2021048931.tif 000035
2021048931.tif 000036
2021048931.tif 000037